(57)【要約】【課題】  折り重ねられた用紙を給紙ローラーにより給紙させて搬送させる際に、折り重ねられた用紙の上面側の用紙と下面側の用紙との重なりがずれるのを簡単に抑制し、折り重ねられた用紙に搬送ミスが発生するのを防止し、また折り重ねられた用紙を搬送させて画像形成を行う場合に、用紙に形成される画像の位置がずれたりすることがないようにする。【解決手段】  手差しトレイ１５や給紙カセット１１から折り重ねられた用紙Ｓを、その折り目Ｓａの方向に沿って給紙ローラー１６，１２により給紙させて搬送させるにあたり、折り重ねられた用紙の少なくとも折り目の一部を含む部分を押圧部材４１によって押圧させた。【選択図】  図３
2014015305.tif 000002
【特許請求の範囲】
【請求項１】
用紙保持部に保持された用紙を給紙ローラーにより給紙させて搬送させる用紙搬送装置において、折り重ねられた用紙をその折り目の方向に沿って前記の給紙ローラーにより給紙させて搬送させるにあたり、折り重ねられた用紙の少なくとも折り目の一部を押圧する押圧手段を設けたことを特徴とする用紙搬送装置。
【請求項２】
請求項１に記載の用紙搬送装置において、前記の押圧手段により折り重ねられた用紙の折り目の給紙方向後端側を押圧させることを特徴とする用紙搬送装置。
【請求項３】
請求項１又は請求項２に記載の用紙搬送装置において、折り重ねられた用紙の折り目と反対側の端部を押圧する第２押圧手段を設けたことを特徴とする用紙搬送装置。
【請求項４】
請求項３に記載の用紙搬送装置において、折り重ねられた用紙が薄紙である場合に、前記の第２押圧手段により折り重ねられた用紙の折り目と反対側における給紙方向中央部分の端部を押圧させることを特徴とする用紙搬送装置。
【請求項５】
請求項１〜請求項４の何れか１項に記載の用紙搬送装置により折り重ねられた用紙を画像形成部に搬送させて画像形成を行うことを特徴とする画像形成装置。
【発明の詳細な説明】
【技術分野】
【０００１】
本発明は、用紙保持部に保持された用紙を給紙ローラーにより給紙させて搬送させる用紙搬送装置及びこの用紙搬送装置により用紙を画像形成部に搬送させて画像形成を行う画像形成装置に関するものである。特に、折り重ねられた用紙を用紙の折り目の方向に沿って給紙ローラーにより給紙させて搬送させる際に、折り重ねられた用紙の上面側の用紙と下面側の用紙との重なりがずれて搬送ミスが発生するのを防止すると共に、折り重ねられた用紙を画像形成部に搬送させて画像形成を行う場合に、用紙に形成される画像にずれが発生したり、用紙が詰まってジャムが発生したりするのを簡単に防止できるようにした点に特徴を有するものである。
【背景技術】
【０００２】
複写機、プリンター等の画像形成装置においては、使用できる用紙の最大サイズが決まっており、例えば、使用できる用紙の最大サイズがＡ４サイズの場合には、これより大きなサイズの画像を形成することができないため、従来においては、１つの大きな画像を２つの用紙に分割させて形成し、その後、この２つの用紙をテープなどで連結させて、１つの大きな画像を形成するようにしていた。
【０００３】
しかし、このような作業は非常に面倒であって時間を要すると共に、２つの用紙をテープなどで連結させる際に画像にずれが発生する等の問題があった。
【０００４】
このため、近年においては、特許文献１〜３に示されるように、大きな用紙を２つ折りする等、大きな用紙を折り重ねてサイズを小さくし、このように折り重ねられた用紙をその折り目の方向に沿うようにして給紙ローラーにより給紙させて搬送させ、この折り重ねられた用紙の片面側の用紙に画像を形成した後、この折り重ねられた用紙を反転させて、この折り重ねられた用紙の反対側の用紙に画像を形成し、その後、折り重ねられた用紙を広げて、大きな画像を１枚の用紙に形成するようにしたものが提案されている。
【０００５】
しかし、このように折り重ねられた用紙をその折り目の方向に沿うようにして給紙ローラーにより給紙させて搬送させる場合、給紙ローラーにより折り重ねられた用紙の上面側の用紙だけが引っ張られて、折り重ねられた用紙の上面側の用紙と下面側の用紙との重なりがずれ、特に、給紙ローラーと対向するようにして捌き部材を設け、重送された用紙をこの捌き部材によって分離させるようにした場合には、折り重ねられた用紙の上面側の用紙と下面側の用紙との重なりのずれがさらに発生しやすくなった。
【０００６】
そして、このように折り重ねられた用紙の上面側の用紙と下面側の用紙とがずれた状態で給紙されて搬送されると、折り重ねられた用紙が画像形成装置内に詰まってジャムが発生したり、またこのような用紙に画像を形成した場合、形成された画像にずれが生じたりする等の問題があった。
【０００７】
このため、特許文献１においては、折り重ねられた用紙の一部をのりで接着させて、折り重ねられた用紙の上面側の用紙と下面側の用紙とがずれるのを防止すると共に、のりで接着された部分の内側にミシン目を設けて、のりで接着された部分を切り離すことができるようにし、のりで接着された状態で折り重ねられた用紙の両面に画像を形成した後、前記のミシン目において、のりで接着された部分を分離させて、折り重ねられた用紙を広げるようにしたものが提案されている。
【０００８】
しかし、このように折り重ねられた用紙の一部をのりで接着させると共に、のりで接着された部分の内側にミシン目を設けた特別の用紙を準備することは面倒で、コストが高く付くつくと共に、折り重ねられた用紙の両面に画像を形成した後、ミシン目において、のりで接着された部分を分離させて、用紙を広げる作業は面倒で時間を要し、さらに折り重ねられた用紙がミシン目において適切に分離されずに、用紙が破れたりする等の問題もあった。
【０００９】
また、特許文献２においては、折り重ねられた用紙の一部又は全部を粘着剤で仮着させて、折り重ねられた用紙の上面側の用紙と下面側の用紙とがずれるのを防止し、この状態で、折り重ねられた用紙の両面に画像を形成した後、粘着剤で仮着された用紙を広げるようにしたものが提案されている。
【００１０】
しかし、このように折り重ねられた用紙の一部又は全部が粘着剤で仮着された特別の用紙を準備することは面倒でコストが高く付き、また折り重ねられた用紙の両面に画像を形成した後、粘着剤で仮着された用紙を広げる作業も面倒で時間を要すると共に、用紙を広げる際に用紙が破れたりし、さらに広げた用紙における粘着剤が他の用紙等に付着するという問題があった。
【００１１】
また、特許文献３においては、用紙を給紙ローラー対に送る寄せローラー（ピックアップローラー）と、給紙ローラー対における下ローラー（捌きローラー）とを制御し、通常の用紙の場合には、前記の寄せローラーを用紙に接触させて、用紙を給紙ローラー対に送ると共に、給紙ローラー対における下ローラーの回転を停止させて、重送された用紙を分離させるようにする一方、折り重ねられた用紙を給紙させて搬送させる場合には、前記の寄せローラーを折り重ねられた用紙に接触させないようにすると共に、前記の給紙ローラー対における下ローラーを、用紙を送り出す方向に回転させて、折り重ねられた用紙の上面側の用紙と下面側の用紙との重なりがずれるのを抑制するようにしたものが提案されている。
【００１２】
しかし、このように用紙の種類に応じて、寄せローラーを移動させて用紙に接触させたり、用紙から離したり、さらに用紙の種類に応じて、下ローラーを回転させたり、停止させたりする操作を、その都度、制御することは面倒で時間を要すると共に、装置が複雑になって大型化するという問題があった。
【先行技術文献】
【特許文献】
【００１３】
【特許文献１】特開昭６２−１２９８３３号公報
【特許文献２】ＷＯ  ２００６／０６８２３６  Ａ１
【特許文献３】特開２００３−１２１６９号公報
【発明の開示】
【発明が解決しようとする課題】
【００１４】
本発明は、折り重ねられた用紙をその折り目の方向に沿うようにして給紙ローラーにより給紙させて搬送させる場合における前記のような問題を解決することを課題とするものである。
【００１５】
すなわち、本発明においては、折り重ねられた用紙を用紙の折り目の方向に沿って給紙ローラーにより給紙させて搬送させる際に、折り重ねられた用紙の上面側の用紙と下面側の用紙との重なりがずれて搬送ミスが発生するのを防止すると共に、折り重ねられた用紙を画像形成部に搬送させて画像形成を行う場合に、用紙に形成される画像にずれが発生したり、用紙が詰まってジャムが発生したりするのを簡単に防止できるようにすることを課題とするものである。
【課題を解決するための手段】
【００１６】
本発明に係る用紙搬送装置においては、上記の課題を解決するため、用紙保持部に保持された用紙を給紙ローラーにより給紙させて搬送させる用紙搬送装置において、折り重ねられた用紙をその折り目の方向に沿って前記の給紙ローラーにより給紙させて搬送させるにあたり、折り重ねられた用紙の少なくとも折り目の一部を含む部分を押圧する押圧手段を設けた。
【００１７】
このように折り重ねられた用紙をその折り目の方向に沿って前記の給紙ローラーにより給紙させて搬送させるにあたり、折り重ねられた用紙の少なくとも折り目の一部を含む部分を押圧手段によって押圧させると、この押圧手段によって押圧された部分において、折り重ねられた用紙の上面側の用紙と下面側の用紙とがずれるのが防止されるようになる。特に、前記の押圧手段により折り重ねられた用紙の折り目の給紙方向後端側を押圧させると、折り重ねられた用紙の上面側の用紙と下面側の用紙とが捻じれるようにしてずれるのが適切に防止されるようになる。
【００１８】
また、前記の用紙搬送装置において、折り重ねられた用紙の折り目と反対側の端部を押圧する第２押圧手段を設けるようにすると、折り重ねられた用紙の上面側の用紙と下面側の用紙とがずれるのがより一層防止されるようになる。特に、折り重ねられた用紙が薄紙である場合に、前記の第２押圧手段により折り重ねられた用紙の折り目と反対側における給紙方向中央部分の端部を押圧させると、このような折り重ねられた用紙を前記の給紙ローラーにより給紙させて搬送させる際に、折り重ねられた用紙の折り目と反対側における給紙方向の中央部分において上面側の用紙が浮き上がるのが抑制され、折り重ねられた用紙の上面側の用紙と下面側の用紙とがずれるのがより一層適切に防止されるようになる。
【００１９】
また、本発明に係る画像形成装置においては、前記の用紙搬送装置により折り重ねられた用紙を画像形成部に搬送させて画像形成を行うようにした。
【発明の効果】
【００２０】
本発明の用紙搬送装置においては、折り重ねられた用紙をその折り目の方向に沿って給紙ローラーにより給紙させて搬送させるにあたり、折り重ねられた用紙の少なくとも折り目の一部を含む部分を押圧手段によって押圧させるようにしたため、折り重ねられた用紙の上面側の用紙と下面側の用紙とがずれるのが抑制され、折り重ねられた用紙が給紙ローラーにより適切に給紙されて搬送されるようになる。
【００２１】
そして、このような用紙搬送装置を用いた画像形成装置において、折り重ねられた用紙を給紙ローラーによりその折り目の方向に沿って給紙させて画像形成部に搬送させるようにすると、折り重ねられた用紙の上面側の用紙と下面側の用紙とがずれるのが抑制され、折り重ねられた用紙が画像形成装置内で詰まってジャムが発生したり、この折り重ねられた用紙に画像を形成する場合に、形成される画像にずれが発生したりするのも防止され、折り重ねられた用紙の両面に画像が適切に形成されるようになる。
【００２２】
そして、このように折り重ねられた用紙の両面に画像を形成した後、この折り重ねられた用紙を広げるだけで、大きな画像を１枚の用紙に形成することが簡単に行えるようになる。
【図面の簡単な説明】
【００２３】
【図１】本発明の実施形態に係る用紙搬送装置を用い、給紙カセットや手差しトレイに保持された用紙を給紙させて画像形成部に導き、この用紙に画像を形成する画像形成装置の例を示した概略説明図である。
【図２】前記の実施形態に係る用紙搬送装置において、折り重ねられた用紙を給紙させて搬送させる場合に、大きな用紙を折り目において２つ折りする工程を示した概略説明図である。
【図３】前記の実施形態に係る用紙搬送装置において、折り重ねられた用紙の折り目が給紙方向に沿うようにして手差しトレイの上に折り重ねられた用紙をセットすると共に、この折り重ねられた用紙の折り目の給紙方向後端側を押圧部材によって押圧させた状態を示した概略説明図である。
【図４】前記の実施形態に係る用紙搬送装置において、折り重ねられた用紙の折り目の給紙方向後端側を押圧部材によって押圧させていない状態で、折り重ねられた用紙を手差しトレイから給紙させた場合に、折り重ねられた用紙の上面側の用紙と下面側の用紙とが捻じれるようにしてずれる状態を示した概略説明図である。
【図５】前記の実施形態に係る用紙搬送装置において、折り重ねられた上面側の用紙と下面側の用紙とが適切に重なった状態で、折り重ねられた用紙が給紙ローラーにより給紙されて搬送される状態を示した概略説明図である。
【図６】前記の実施形態に係る用紙搬送装置において、前記の押圧部材の他に、折り重ねられた用紙の折り目と反対側の端部を押圧する第２押圧部材を設け、この第２押圧部材により、折り重ねられた用紙の折り目と反対側における給紙方向の中央部分を押圧させた状態を示した概略説明図である。
【図７】前記の実施形態に係る用紙搬送装置において、手差しトレイの上にセットする蓋材の下面の一方の側辺部に押圧部材を設けると共に、他方の側辺部に第２押圧部材を設け、この蓋材を手差しトレイの上にセットされた折り重ねられた用紙の上に載置させた状態を示した概略平面図及び概略背面図である。
【図８】前記の実施形態に係る用紙搬送装置を用いた画像形成装置により、手差しトレイから給紙された折り重ねられた用紙の両面にトナー画像を形成し、このように両面にトナー画像が形成された折り重ねられた用紙を広げた状態を示した概略説明図である。
【発明を実施するための最良の形態】
【００２４】
次に、この発明の実施形態に係る用紙搬送装置及び画像形成装置を添付図面に基づいて具体的に説明する。なお、本発明に係る用紙搬送装置及び画像形成装置は、下記の実施形態に示したものに限定されず、その要旨を変更しない範囲において適宜変更して実施できるものである。
【００２５】
この実施形態の画像形成装置１においては、図１に示すように、用紙保持部としての給紙カセット１１に収容された用紙Ｓを給紙ローラー１２により給紙カセット１１から導き出して、この給紙ローラー１２の下に設けられた分離ローラー１３との間に導くようにしている。
【００２６】
そして、前記の給紙ローラー１２により複数枚の用紙Ｓが一緒に引き出されて分離ローラー１３との間に導かれた場合には、この給紙ローラー１２と分離ローラー１３との間で重送された用紙Ｓを分離させて、一枚の用紙Ｓを給紙ローラー１２と分離ローラー１３との間を通してタイミングローラー１４に搬送させるようにしている。
【００２７】
また、用紙保持部として、前記の給紙カセット１１とは別に手差しトレイ１５を設け、この手差しトレイ１５にセットされた用紙Ｓを給紙ローラー１６により給紙させると共に、この給紙ローラー１６により複数枚の用紙Ｓが一緒に給紙された場合には、この給紙ローラー１６とその下に設けられた捌きパッド１７との間で用紙Ｓを分離させて、この給紙ローラー１６と捌きパッド１７との間を通して一枚の用紙Ｓを前記のタイミングローラー１４に搬送させるようにしている。
【００２８】
そして、前記のように給紙カセット１１や手差しトレイ１５から給紙されてタイミングローラー１４に導かれた用紙Ｓを、このタイミングローラー１４により適当なタイミングで画像形成を行う画像形成部２０に送るようにしている。
【００２９】
また、この画像形成部２０においては、回転する感光体２１の表面を帯電ローラー２２によって帯電させ、このように帯電された感光体２１の表面に潜像形成装置２３により画像情報に基づく露光を行って、感光体２１の表面に静電潜像を形成するようにしている。次いで、この感光体２１の表面に形成された静電潜像の部分に現像装置２４からトナーを供給して、感光体２１の表面にトナー画像を形成し、このトナー画像を回転する感光体２１によって転写ローラー２５と対向する位置に導くようにしている。
【００３０】
そして、このように感光体２１の表面に形成されたトナー画像が転写ローラー２５と対向する位置に導かれるタイミングに合わせて、前記の用紙Ｓをタイミングローラー１４により感光体２１と転写ローラー２５との間に導き、感光体２１の表面に形成されたトナー画像を転写ローラー２５により前記の用紙Ｓに転写させると共に、用紙Ｓに転写されずに感光体２１の表面に残ったトナー等をクリーニング装置２６によって感光体２１の表面から除去するようにしている。
【００３１】
また、前記のようにトナー画像が転写された用紙Ｓを定着装置２７に導き、この定着装置２７によって転写されたトナー画像を用紙Ｓに定着させた後、このようにトナー画像が定着された用紙Ｓを排紙・反転ローラー３１に導くようにしている。
【００３２】
そして、用紙Ｓの片面にだけトナー画像を形成する場合には、前記の排紙・反転ローラー３１を排紙方向に回転させて、トナー画像が定着された用紙Ｓを排紙トレイ３２の上に排出させるようにしている。
【００３３】
一方、片面にトナー画像が形成された前記の用紙Ｓに対して、反対側の面にも連続してトナー画像を形成する場合には、前記の排紙・反転ローラー３１を排紙方向にある程度回転させた後、この排紙・反転ローラー３１を反転させて、排紙・反転ローラー３１に導かれた用紙Ｓを排紙方向とは逆方向に送り、反転ガイド部材３３を介してこの用紙Ｓを反転搬送経路Ｒに導くようにする。そして、この反転搬送経路Ｒを通して前記の用紙Ｓを反転させ、このように反転された用紙Ｓを前記のタイミングローラー１４に導き、その後は、用紙Ｓが反転されてトナー画像が形成されていない用紙Ｓの面に、前記の場合と同様にしてトナー画像を形成するようにしている。
【００３４】
ここで、この実施形態の画像形成装置１において、使用できる用紙Ｓの大きさが、例えばＡ４サイズである場合に、Ａ３サイズの用紙Ｓに画像を形成するにあたっては、図２（Ａ），（Ｂ）に示すように、Ａ３サイズの用紙Ｓの長辺の中央部に折り目Ｓａを設け、この折り目Ｓａの位置においてＡ３サイズの用紙Ｓを２つ折りしてＡ４サイズになるように折り重ねるようにする。
【００３５】
ここで、この実施形態の画像形成装置１においては、このように２つ折りされて折り重ねられた用紙Ｓを手差しトレイ１５の上に載置させ、この手差しトレイ１５の上から折り重ねられた用紙Ｓを、前記の給紙ローラー１６によって給紙させて搬送させる場合について説明する。
【００３６】
そして、このように手差しトレイ１５の上から折り重ねられた用紙Ｓを、前記の給紙ローラー１６によって給紙させて搬送させるにあたっては、図３に示すように、前記の手差しトレイ１５において、前記の折り重ねられた用紙Ｓが折り目Ｓａの方向と交差する方向に移動するのを規制する規制板１５ａを設け、この規制板１５ａにより、折り重ねられた用紙Ｓの給紙方向と交差する用紙Ｓの幅方向両側を規制させるようにしている。
【００３７】
また、この実施形態においては、前記の折り重ねられた用紙Ｓの折り目Ｓａの一部を含むようにして、折り重ねられた用紙Ｓの給紙方向後端側に折り重ねられた用紙Ｓを押圧させる押圧手段として押圧部材４１を設け、この押圧部材４１により折り重ねられた用紙Ｓの給紙方向後端側における折り目Ｓａの部分を押圧させるようにしている。
【００３８】
そして、このように手差しトレイ１５の上に載置された前記の折り重ねられた用紙Ｓを、前記の給紙ローラー１６により折り目Ｓａの方向に沿って給紙させるようにすると、前記の規制板１５ａによって折り重ねられた用紙Ｓが送り出される方向が規制されると共に、折り重ねられた用紙Ｓの給紙方向後端側における折り目Ｓａの部分が、前記の押圧部材４１によって押圧された状態で、折り重ねられた用紙Ｓが前記の給紙ローラー１６によって給紙されるようになる。
【００３９】
このようにすると、折り重ねられた用紙Ｓを給紙ローラー１６によって給紙させる際に、図４に示すように、折り重ねられた用紙Ｓの下面側の用紙Ｓ２が前記の捌きパッド１７に規制された状態で、上面側の用紙Ｓ１が給紙ローラー１６により引っ張られて、折り重ねられた上面側の用紙Ｓ１と下面側の用紙Ｓ２とが捻じれるのが防止される。
【００４０】
この結果、図５に示すように、折り重ねられた上面側の用紙Ｓ１と下面側の用紙Ｓ２とが適切に重なった状態で、給紙ローラー１６により給紙されて前記のタイミングローラー１４に適切に搬送されるようになり、このタイミングローラー１４から折り重ねられた用紙Ｓが適切な状態で画像形成部２０に送られ、折り重ねられた用紙Ｓが画像形成装置１内において詰まったりするのが防止される。
【００４１】
また、図６に示すように、折り重ねられた用紙Ｓの折り目Ｓａと反対側の端部を押圧する第２押圧手段として第２押圧部材４２を設け、この第２押圧部材４１により折り重ねられた用紙Ｓの折り目Ｓａと反対側の端部を押圧させるようにすると、折り重ねられた上面側の用紙Ｓ１と下面側の用紙Ｓ２とがずれるのが一層抑制されるようになる。特に、折り重ねられた用紙Ｓが薄紙である場合において、図６に示すように、前記の第２押圧部材４２により折り重ねられた用紙Ｓの折り目Ｓａと反対側における給紙方向中央部分の端部を押圧させると、このような折り重ねられた用紙Ｓを前記の給紙ローラー１６により給紙させて搬送させる際に、折り重ねられた用紙Ｓの折り目Ｓａと反対側における給紙方向の中央部分において上面側の用紙Ｓ１が浮き上がるのが抑制され、折り重ねられた用紙の上面側の用紙Ｓ１と下面側の用紙Ｓ２とがずれるのがより一層適切に防止されるようになる。
【００４２】
また、上記のように折り重ねられた用紙Ｓの折り目Ｓａの一部を含むようにして折り重ねられた用紙Ｓを押圧させる押圧部材４１と、折り重ねられた用紙Ｓの折り目Ｓａと反対側の端部を押圧する第２押圧部材４２とを設けるにあたり、図７（Ａ），（Ｂ）に示すように、前記の手差しトレイ１５の上にセットする蓋材４３において、その下面の一方の側辺部に前記の押圧部材４１を設けると共に、他方の側辺部に第２押圧部材４２を設けるようにすることができる。そして、この蓋材４３を手差しトレイ１５の上にセットされた折り重ねられた用紙Ｓの上に載置させ、この蓋材４３に設けられた前記の押圧部材４１により折り重ねられた用紙Ｓの折り目Ｓａの一部を押圧させると共に、この蓋材４３に設けられた前記の第２押圧部材４２によって折り重ねられた用紙Ｓの折り目Ｓａと反対側の端部を押圧させるようにすることができる。
【００４３】
そして、前記の画像形成装置１において、前記の手差しトレイ１５から前記の折り重ねられた用紙Ｓを給紙させて画像形成を行う場合には、前記のようにして折り重ねられた用紙Ｓを前記のタイミングローラー１４に導いた後、このタイミングローラー１４により前記の折り重ねられた用紙Ｓを適当なタイミングで画像形成部２０に送るようにする。
【００４４】
このようにすると、この折り重ねられた用紙Ｓにおける上面側の用紙Ｓ１と下面側の用紙Ｓ２とがずれることなく、下面側の用紙Ｓ２が前記の感光体２１と対面する位置に導かれるようになる。そして、このように感光体２１と対面する位置に導かれた下面側の用紙Ｓ２に、例えば図８（Ａ）に示すように、「○」のトナー画像を形成する。
【００４５】
次いで、このように下面側の用紙Ｓ２にトナー画像が形成された折り重ねられた用紙Ｓを、前記の反転搬送経路Ｒを通して反転させて、前記のタイミングローラー１４に導き、前記のように反転された折り重ねられた用紙Ｓを、タイミングローラー１４により適当なタイミングで画像形成部２０に送るようにする。
【００４６】
このようにすると、この折り重ねられた用紙Ｓにおいてトナー画像が形成されていない上面側の用紙Ｓ１が前記の感光体２１と対面する位置に導かれるようになり、このように感光体２１と対面する位置に導かれた上面側の用紙Ｓ１に、例えば図８（Ｂ）に示すように、「×」のトナー画像を形成する。
【００４７】
その後、このように下面側の用紙Ｓ２に「○」、上面側の用紙Ｓ１に「×」のトナー画像が形成された折り重ねられた用紙Ｓを広げることにより、図８（Ｃ）に示すように、Ａ３サイズの大きな用紙Ｓに対して「○」と「×」のトナー画像が簡単且つ適切に形成されるようになる。
【００４８】
ここで、この実施形態においては、手差しトレイ１５から給紙された折り重ねられた用紙Ｓの両面にトナー画像を形成するにあたり、前記のように折り重ねられた用紙Ｓの下面側の用紙Ｓ２にトナー画像を形成した後、この折り重ねられた用紙Ｓを、前記の反転搬送経路Ｒを通して反転させて、トナー画像が形成されていない折り重ねられた用紙Ｓの反対側の上面側の用紙Ｓ１にトナー画像を形成するようにした。
【００４９】
しかし、折り重ねられた用紙Ｓの両面にトナー画像を形成する方法はこのような方法に限定されず、折り重ねられた用紙Ｓの下面側の用紙Ｓ２にトナー画像を形成した後、この折り重ねられた用紙Ｓを排紙トレイ３２の上に排出させ、このように排出された折り重ねられた用紙Ｓを反転させて前記の手差しトレイ１５に再度セットして、トナー画像が形成されていない折り重ねられた用紙Ｓの反対側の上面側の用紙Ｓ１にトナー画像を形成させるようにすることもできる。
【００５０】
また、この実施形態においては、折り重ねられた用紙Ｓを手差しトレイ１５の上にセットさせて給紙させる場合について説明したが、図示していないが、折り重ねられた用紙Ｓを前記の給紙カセット１１から給紙ローラー１２によって給紙させる場合においても、前記のように折り重ねられた用紙Ｓの折り目Ｓａの一部を含むようにして折り重ねられた用紙Ｓを押圧させる押圧部材４１や、折り重ねられた用紙Ｓの折り目Ｓａと反対側の端部を押圧する第２押圧部材４２を設けるようにすることができる。この場合においても、折り重ねられた用紙Ｓの上面側の用紙Ｓ１と下面側の用紙Ｓ２とがずれないようにして、折り重ねられた用紙Ｓを、前記の給紙カセット１１から給紙ローラー１２によって適切に給紙させるようにすることができる。
【００５１】
また、折り重ねられた用紙Ｓを手差しトレイ１５や給紙カセット１１にセットさせるにあたり、前記の押圧部材４１や第２押圧部材４２が設けられた位置に対応するようにして、折り重ねられた用紙Ｓを手差しトレイ１５や給紙カセット１１に適切にセットさせるため、前記の画像形成装置１における操作パネル３４の表示部３４ａに、折り重ねられた用紙Ｓを手差しトレイ１５や給紙カセット１１にセットする方法等を案内させるようにすることが好ましい。
【００５２】
また、前記の画像形成装置１において、折り重ねられた用紙Ｓ以外の通常の用紙Ｓをセットさせる場合には、前記の押圧部材４１や第２押圧部材４２を移動させたり、取り外したりして、前記の押圧部材４１や第２押圧部材４２による押圧を解除させるようにすることができる。このようにすると、手差しトレイ１５や給紙カセット１１から通常の用紙Ｓを給紙させる際に、前記の給紙ローラー１６や給紙ローラー１２に余分な負荷が加わるのが防止されると共に、この負荷によって給紙される通常の用紙Ｓがずれたりするのも抑制される。
【符号の説明】
【００５３】
１  画像形成装置
１１  給紙カセット（用紙保持部）
１２  給紙ローラー
１３  分離ローラー
１４  タイミングローラー
１５  手差しトレイ（用紙保持部），１５ａ  規制板
１６  給紙ローラー
１７  捌きパッド
２０  画像形成部
２１  感光体
２２  帯電ローラー
２３  潜像形成装置
２４  現像装置
２５  転写ローラー
２６  クリーニング装置
２７  定着装置
３１  排紙・反転ローラー
３２  排紙トレイ
３３  反転ガイド部材
３４  操作パネル，３４ａ  表示部
４１  押圧部材（押圧手段）
４２  第２押圧部材（第２押圧手段）
４３  蓋材
Ｒ  反転搬送経路
Ｓ  用紙，Ｓ１  上面側の用紙，Ｓ２  下面側の用紙
Ｓａ  折り目
【図１】
2014015305.tif 000003
【図２】
2014015305.tif 000004
【図３】
2014015305.tif 000005
【図４】
2014015305.tif 000006
【図５】
2014015305.tif 000007
【図６】
2014015305.tif 000008
【図７】
2014015305.tif 000009
【図８】
2014015305.tif 000010